(57)【要約】【課題】  同一チャネル中にビデオデータおよびオーディオデータが混在するデータを受信再生する際、視聴者にとって高品質な態様で受信再生したい。【解決手段】  シリアルデータ再生回路１０内にオーバーサンプル部、照合部およびエッジ選択部が含まれる。オーバーサンプル部は、受信データを複数のサンプリングエッジでオーバーサンプリングする。照合部は、各サンプリングエッジでサンプリングされたデータ列と、受信データ中の所定位置を特定するための識別符号とを照合する。エッジ選択部は、照合部の照合結果を参照して、複数のサンプリングエッジからひとつを選択する。エラー検出回路４０は、オーディオデータに通信エラーが発生しているか否かを検出する。エッジ選択部は、通信エラーを抑制するようサンプリングエッジを適応的に切り替える。【選択図】  図１
2007089092.tif 000002
【特許請求の範囲】
【請求項１】
同一チャネル中にビデオデータおよびオーディオデータが混在するデータを受信し、再生するデータ再生装置であって、
受信データを複数のサンプリングエッジでオーバーサンプリングするオーバーサンプル部と、
各サンプリングエッジでサンプリングされたデータ列と、受信データ中の所定位置を特定するための識別符号とを照合する照合部と、
前記照合部の照合結果を参照して、前記複数のサンプリングエッジからひとつを選択するエッジ選択部と、
オーディオデータに通信エラーが発生しているか否かを検出するエラー検出部と、を備え、
前記エッジ選択部は、前記通信エラーを抑制するようサンプリングエッジを適応的に切り替えることを特徴とするデータ再生回路。
【請求項２】
前記エッジ選択部は、前記通信エラーが発生している間、サンプリングされるデータ列の遷移度合いが最も小さいサンプリングエッジに適応的に切り替え、前記オーディオデータが正常に受信されている間、現在選択しているサンプリングエッジに固定することを特徴とする請求項１に記載のデータ再生回路。
【請求項３】
前記エッジ選択部は、前記通信エラーの有無を参照するためのエラーレジスタを含み、
前記エラー検出部は、検査単位のオーディオデータに対する検査が終了するたびに、エラー検出の有無を示す情報を前記エラーレジスタにセットし、
前記エッジ選択部は、サンプリングエッジを切り替えたとき、前記エラーレジスタの値をリセットすることを特徴とする請求項１または２に記載のデータ再生回路。
【請求項４】
前記照合部による照合結果を蓄積していく蓄積レジスタをさらに備え、
前記照合部は、ビデオデータのブランキング区間ごとに、各サンプリングエッジでサンプリングされたデータ列をシフトさせながら、ブランキング区間を特定するための識別符号と照合し、各サンプリングエッジでサンプリングされるデータ列の遷移度合いを前記蓄積レジスタに記録し、
前記エッジ選択部は、サンプリングエッジを切り替えるとき、前記蓄積レジスタを参照して、前記データ列の遷移度合いが最も小さいサンプリングエッジを統計的に求めることを特徴とする請求項１から３のいずれかに記載のデータ再生回路。
【請求項５】
ビデオデータのブランキング区間に挿入されたオーディオデータを分離して、前記エラー検出部に供給するビデオ／オーディオ分離部をさらに備えることを特徴とする請求項１から４のいずれかに記載のデータ再生回路。
【請求項６】
ひとつの半導体基板上に一体集積化されたことを特徴とする請求項１から５のいずれかに記載のデータ再生回路。
【請求項７】
請求項１から６のいずれかに記載のデータ再生回路と、
前記データ再生回路により再生されたビデオデータを表示する表示部と、
前記データ再生回路により再生されたオーディオデータを音声出力するスピーカと、
を備えることを特徴とする電子機器。
【発明の詳細な説明】
【技術分野】
【０００１】
本発明は、同一チャネル中にビデオデータおよびオーディオデータが混在するデータを受信して再生するデータ再生回路、およびそれを搭載した電子機器に関する。
【背景技術】
【０００２】
ＰＣ（personal computer）本体とモニタ間のデジタルインターフェース規格であるＤＶＩ（Digital Visual Interface）が利用されている。ＤＶＩは小振幅差動伝送方式を採用し、４チャネルのシリアルデータを転送する。４チャネルの内、ＲＧＢ三色にそれぞれ１チャネル割り当てられ、残りの１チャネルがクロックに割り当てられる。ＤＶＩは最大５Ｇｂｐｓの伝送能力を持つ。
【０００３】
ＨＤＭＩ（High-Definition Multimedia Interface）はＤＶＩと下位互換性を持ち、ＤＶＤプレーヤやセットトップボックスなどのビデオ機器と、テレビなどのディスプレイとの間のデジタルインターフェースとして普及してきている。ＨＤＭＩはＤＶＩの物理層を利用して、オーディオデータや各種の制御情報を伝送するためのデータアイランド（Data Island）をビデオブランキング区間に挿入している。これにより、ＨＤＴＶ（High Definition TeleVision）を含め、高品質なオーディオビジュアルデータの伝送が可能になる。
【０００４】
本出願人は、特許文献１にて、スキューとジッタを含んだ信号から正しい信号を取り出すために、オーバーサンプリングしたデータ列から最も安定したデータ列を選択する技術を開示した。
【特許文献１】特開２００４−８８３８６号公報
【発明の開示】
【発明が解決しようとする課題】
【０００５】
当然のことであるが、ケーブル長さや送受信の終端ミスマッチングなどの要因で、受信データにはエラーが生じ得る。特に、オーディオデータに生じたエラーは、当該オーディオデータ再生時の不連続な音や雑音発生の原因になり得る。視聴者は、ビデオデータのエラーによる画像のちらつきなどより、そのような不連続な音や雑音に敏感であるため、ビデオデータのエラーより、オーディオデータのエラーを低減する要請が強い。
【０００６】
本発明はこうした状況に鑑みてなされたものであり、その目的は、同一チャネル中にビデオデータとオーディオデータが混在する信号を視聴者にとって高品質な態様で受信再生することができるデータ再生回路、およびそれを搭載した電子機器を提供することにある。
【課題を解決するための手段】
【０００７】
上記課題を解決するために、本発明のある態様のデータ再生回路は、同一チャネル中にビデオデータおよびオーディオデータが混在するデータを受信し、再生するデータ再生装置であって、受信データを複数のサンプリングエッジでオーバーサンプリングするオーバーサンプル部と、各サンプリングエッジでサンプリングされたデータ列と、受信データ中の所定位置を特定するための識別符号とを照合する照合部と、照合部の照合結果を参照して、複数のサンプリングエッジからひとつを選択するエッジ選択部と、オーディオデータに通信エラーが発生しているか否かを検出するエラー検出部と、を備える。エッジ選択部は、通信エラーを抑制するようサンプリングエッジを適応的に切り替える。
【０００８】
この態様によると、同一チャネル中にビデオデータとオーディオデータが混在する信号を受信する際、オーディオデータの通信エラーを可及的に抑制するようサンプリングエッジを切り替えることにより、視聴者にとって高品質な態様で受信再生することができる。
【０００９】
エッジ選択部は、通信エラーが発生している間、サンプリングされるデータ列の遷移度合いが最も小さいサンプリングエッジに適応的に切り替え、オーディオデータが正常に受信されている間、現在選択しているサンプリングエッジに固定してもよい。オーディオデータに通信エラーが生じていない場合、そのサンプリングエッジを維持することにより、通信エラーの発生を抑制することができる。
【００１０】
エッジ選択部は、通信エラーの有無を参照するためのエラーレジスタを含んでもよい。エラー検出部は、検査単位のオーディオデータに対する検査が終了するたびに、エラー検出の有無を示す情報をエラーレジスタにセットしてもよく、エッジ選択部は、サンプリングエッジを切り替えたとき、エラーレジスタの値をリセットしてもよい。サンプリングエッジを切り替えた後、次のオーディオデータに対する通信エラーの発生を示す情報が通知されるまで、サンプリングエッジの切り替えを停止することにより、切り替え先のサンプリングエッジのオーディオデータの受信状況を確認することができる。
【００１１】
照合部による照合結果を蓄積していく蓄積レジスタをさらに備えてもよい。照合部は、ビデオデータのブランキング区間ごとに、各サンプリングエッジでサンプリングされたデータ列をシフトさせながら、ブランキング区間を特定するための識別符号と照合し、各サンプリングエッジでサンプリングされるデータ列の遷移度合いを蓄積レジスタに記録し、エッジ選択部は、サンプリングエッジを切り替えるとき、蓄積レジスタを参照して、データ列の遷移度合いが最も小さいサンプリングエッジを統計的に求めてもよい。統計的に切り替え先のサンプリングエッジを求めることにより、サンプリングエッジの切り替え精度を高めることができる。
【００１２】
ビデオデータのブランキング区間に挿入されたオーディオデータを分離して、エラー検出部に供給するビデオ／オーディオ分離部をさらに備えてもよい。オーディオデータを分離した後に、オーディオデータの通信エラーを考慮してサンプリングエッジを切り替えることにより、画像ノイズ抑制より音声ノイズ抑制を優先させたサンプリングエッジ切り替え処理を実現することができる。
【００１３】
本発明の別の態様は、電子機器である。この電子機器は、上述した態様のデータ再生回路と、データ再生回路により再生されたビデオデータを表示する表示部と、データ再生回路により再生されたオーディオデータを音声出力するスピーカと、を備える。
【００１４】
この態様によると、画像ノイズ抑制より音声ノイズ抑制を優先させることにより、視聴者にとって高品質な態様で受信再生することができる機器を実現することができる。
【００１５】
なお、以上の構成要素の任意の組合せ、本発明の表現を装置、方法、システムなどの間で変換したものもまた、本発明の態様として有効である。
【発明の効果】
【００１６】
本発明によれば、同一チャネル中にビデオデータとオーディオデータが混在する信号を、視聴者にとって高品質な態様で受信再生することができる。
【発明を実施するための最良の形態】
【００１７】
本発明は、人間の視覚特性や聴覚特性を考慮して、ビデオデータおよびオーディオデータが混在するシリアルデータを最適に受信して再生する手法を提供するものである。以下、ビデオデータおよびオーディオデータが混在するシリアルデータとして、ＨＤＭＩ規格の受信信号を例に説明する。
【００１８】
図１は、本発明の実施形態におけるデータ再生回路の構成を示すブロック図である。本実施形態におけるデータ再生回路１００は、ＤＶＤプレーヤなどの機器からＨＤＭＩ規格で送信されてくるデータを受信して、再生する回路である。テレビなどに搭載される。ＨＤＭＩは、ＤＶＩと同様に、色の三原色に対応して、Ｒチャネル、Ｇチャネル、Ｂチャネルおよびシステムクロックに対応するＣＬＫチャネルの計４チャネルを持つ。Ｒチャネル、ＧチャネルおよびＢチャネルのブランキング区間にオーディオデータや制御信号が挿入される。
【００１９】
データ再生回路１００は、シリアルデータ再生回路１０、ＴＭＤＳ(Transition Minimized Differential Signaling)デコーダ２０、Ａ／Ｖ分離回路３０、エラー検出回路４０、オーディオデータ再生回路５０およびパネルインタフェース６０を備える。これらは、ひとつの半導体基板上に一体集積化されてもよい。上記ＣＬＫチャネルは図示しないＰＬＬ回路に入力され、当該ＰＬＬ回路は上記したそれぞれの回路１０〜６０にクロックを供給する。
【００２０】
シリアルデータ再生回路１０は、Ｒチャネル、ＧチャネルおよびＢチャネルの各シリアルデータのジッターおよびスキューを補正して同期をとり、次段のＴＭＤＳデコーダ２０に供給する。シリアルデータ再生回路１０の詳細については後述する。
【００２１】
ＴＭＤＳデコーダ２０は、ＴＭＤＳ符号化された信号を復号し、水平、垂直同期信号と共に３チャネルのビデオ信号をＡ／Ｖ分離回路３０に供給する。Ａ／Ｖ分離回路３０は、供給されたビデオ信号のブランキング区間からチャネルごとにオーディオ信号および制御信号を抽出する。Ａ／Ｖ分離回路３０は、オーディオ信号および制御信号が取り除かれたビデオ信号をパネルインタフェース６０に供給し、当該オーディオ信号および制御信号をエラー検出回路４０に供給する。パネルインタフェース６０は、供給されたビデオ信号をディスプレーパネル用の信号に変更し、後述する表示部１２０に出力する。例えば、ＲＧＢフォーマットからＹＵＶフォーマットに変換する。
【００２２】
エラー検出回路４０は、ＢＣＨ（Bose-Chaudhuri Hocquenghem Code）エラー検出回路４２およびＥＣＣ（Error Correcting Code）訂正回路４４を備える。ＨＤＭＩ規格におけるＢＣＨ符号は符号語間距離が２未満の符号語体系である。６４ビットの符号語に対して１ビットエラーは訂正可能である。これに対し、２ビット以上のエラーは、検出は可能であるが、訂正は不可能である。ＢＣＨエラー検出回路４２は、チャネルごとにBCH剰余(以下、シンドロームと呼ぶ。)を生成することにより、正常に受信できたか否かを判定する。シンドロームが零の場合、正常に受信できたと判定することができる。ＥＣＣ訂正回路４４は、シンドロームを参照して１ビットエラーの場合、そのエラー位置を特定して、そのエラーを訂正する。
【００２３】
ＢＣＨエラー検出回路４２およびＥＣＣ訂正回路４４は、エラーを検出した場合およびエラーを訂正した場合、その旨をシリアルデータ再生回路１０に通知する。オーディオデータに対する１回の検査または１回の訂正が終了するたびに通知することができる。なお、チャネルごとにエラー検出数やエラー訂正数をカウンタでカウントしていき、所定数まで累積した際に、シリアルデータ再生回路１０に通知してもよい。
【００２４】
オーディオデータ再生回路５０は、図示しないＰＬＬ回路からのサンプリングクロックにしたがい、オーディオデータを再生する。再生したデータをＩ２Ｓ（Inter-IC Sound）やＳ／ＰＤＩＦ（Sony Philips Digital Interface）フォーマットなどを用いて、後述するスピーカ１１０に出力してもよい。
【００２５】
本実施形態にて、シリアルデータ再生回路１０は、ビデオ信号のブランキング期間中に使用される特定のスペシャルキャラクタを利用して、ビデオ信号再生時のジッターやスキューを補正する。ＨＤＭＩ規格によれば、システムを駆動するのに使用する最小のクロックである１システムクロックに１０ビットのシリアルデータが転送される。スペシャルキャラクタは、ブランキングを表す信号であり、ブランキング区間中に１０ビットで挿入される。スペシャルキャラクタには４種類がある。
【００２６】
図２は、シリアルデータ再生回路の構成を示すブロック図である。シリアルデータ再生回路１０は、オーバーサンプル回路７０、エッジレジスタ７２、セレクタ７３、エッジ照合回路７４、エッジ遷移状態レジスタ７６およびエッジ選択部７８を備える。
【００２７】
オーバーサンプル回路７０は、チャネルごとにシリアルデータをｎ（２以上の整数）倍オーバーサンプリングする。すなわち、シリアルデータに対するサンプル位置（以下、エッジと呼ぶ。）を目的周波数のｎ倍に設定する。以下、３倍オーバーサンプリングの例で説明する。３倍オーバーサンプリングしたことにより、生成した３種類のデータ列を、エッジＡレジスタ７２Ａ、エッジＢレジスタ７２ＢおよびエッジＣレジスタ７２Ｃにそれぞれ出力する。
【００２８】
エッジＡレジスタ７２Ａ、エッジＢレジスタ７２ＢおよびエッジＣレジスタ７２Ｃは、２システムクロック分のビット数から１ビットを引いたデータ列、すなわち１９ビットのデータ列を保持する。その１９ビットのデータ列を所定のタイミングでエッジＡ照合回路７４Ａ、エッジＢ照合回路７４ＢおよびエッジＣ照合回路７４Ｃにそれぞれ出力する。また、エッジＡレジスタ７２Ａ、エッジＢレジスタ７２ＢおよびエッジＣレジスタ７２Ｃは、その１９ビットのデータ列をセレクタ７３にも出力する。
【００２９】
エッジＡ照合回路７４Ａ、エッジＢ照合回路７４ＢおよびエッジＣ照合回路７４Ｃは、エッジＡレジスタ７２Ａ、エッジＢレジスタ７２ＢおよびエッジＣレジスタ７２Ｃから供給されるデータ列の連続する下位１０ビットから連続する上位１０ビットまでの各１０ビットで構成される計１０パターンのそれぞれと上記スペシャルキャラクタとを照合し、一致するパターンの位置を記録する。
【００３０】
エッジＡ遷移状態レジスタ７６Ａ、エッジＢ遷移状態レジスタ７６ＢおよびエッジＣ遷移状態レジスタ７６Ｃは、エッジＡ照合回路７４Ａ、エッジＢ照合回路７４ＢおよびエッジＣ照合回路７４Ｃでの照合結果をそれぞれ累積的に記録する。すなわち、当該照合結果を蓄積していく蓄積レジスタとして機能する。例えば、エッジＡ照合回路７４Ａにて、供給されるデータ列の下位１０ビットとスペシャルキャラクタとが一致した場合、エッジＡ遷移状態レジスタ７６Ａの現在の値を上位に１ビットシフトされて、最下位ビットに０が入力される。一致しない場合、上位に１ビットシフトされて、最下位ビットに１が入力される。一致しない間、１が入力されることになり、一致した時点で０が入力されることになる。
【００３１】
エッジ選択部７８は、エッジＡ遷移状態レジスタ７６Ａ、エッジＢ遷移状態レジスタ７６ＢおよびエッジＣ遷移状態レジスタ７６Ｃを参照して、最も安定したエッジを選択する。その際、エラー検出回路４０から通知されたエラー検出情報およびエラー訂正情報を参酌する。エッジ選択部７８は、選択したエッジをセレクタ７３に通知する。セレクタ７３は、通知されたエッジの出力を選択し、後段に出力する。
【００３２】
図３は、エッジ選択部の構成を示す図である。エッジ選択部７８は、エラーレジスタ８０、現在エッジレジスタ８２、安定エッジ判定回路８４、エッジ比較回路８６、エラーレジスタ判定回路８８およびエッジ選択回路９０を備える。エラーレジスタ８０は、エラー検出回路４０から通知されるエラー検出情報およびエラー訂正情報により値がセットされる。エラーが検出されたり、訂正されたりした場合、１がセットされ、正常に受信されている場合、０がセットされる。エラーレジスタ８０の動作クロックＣＬＫは、ＥＣＣ訂正回路４４の単位訂正期間を表すクロックと同期したものを利用することができる。
【００３３】
現在エッジレジスタ８２は、複数のサンプリングエッジから現在選択しているエッジを示す識別情報を保持する。本実施形態では、エッジＡ、エッジＢおよびエッジＣのいずれかを示す識別情報を保持する。安定エッジ判定回路８４は、エッジＡ遷移状態レジスタ７６Ａ、エッジＢ遷移状態レジスタ７６ＢおよびエッジＣ遷移状態レジスタ７６Ｃを参照して、最も安定したエッジを選択する。上述した例では、これらのレジスタに１が多く記録されているほど、受信データが激しく遷移しており、０が多く記録されているほど、受信データが安定していることが分かる。したがって、安定エッジ判定回路８４は、エッジＡ遷移状態レジスタ７６Ａ、エッジＢ遷移状態レジスタ７６ＢおよびエッジＣ遷移状態レジスタ７６Ｃのうち、最も０が多いレジスタのエッジを最も安定したエッジと判定する。
【００３４】
エッジ比較回路８６は、現在エッジレジスタ８２から入力される現在選択されているエッジと、安定エッジ判定回路８４から入力される最も安定したエッジとを比較する。両エッジが一致した場合、現在選択されているエッジを維持するようエッジ選択回路９０に通知する。一致しない場合、エラーレジスタ８０を参照するようエラーレジスタ判定回路８８に通知する。
【００３５】
エラーレジスタ判定回路８８は、エラーレジスタ８０の値が０か否かを判定する。０の場合、現在選択されているエッジを維持するようエッジ選択回路９０に通知する。１の場合、エラーレジスタ８０の値をリセットして、０にする。それとともに、安定エッジ判定回路８４が最も安定していると判定したエッジを選択するようエッジ選択回路９０に通知する。もちろん、以上の処理はチャネル単位に行われている。
【００３６】
図４は、本実施形態におけるデータ再生回路１００の安定したエッジを特定するまでの動作を説明するフローチャートである。まず、オーバーサンプル回路７０は、チャネルごとにシリアルデータを３倍オーバーサンプリングする（Ｓ１０）。そして、３種類のエッジでサンプリングするデータ列がブランキング区間のデータ列であるか否かをそれぞれ判定する（Ｓ１２）。ブランキング区間のデータ列である場合（Ｓ１２のＹ）、各エッジ照合回路７４Ａ〜Ｃは、ブランキング区間にサンプリングした上記データ列とスペシャルキャラクタとが一致するか否かをそれぞれ判定する（Ｓ１４）。
【００３７】
一致しないエッジについて（Ｓ１４のＮ）、対応するエッジレジスタ７２に保持されている上記データ列を上位に１ビットシフトする（Ｓ１６）。次に、上記データ列をシフトしたエッジについて、エッジ遷移状態レジスタ７６（図中、エッジ遷移フラグと表記）の最下位ビットに１を入力し、上位に１ビットシフトする（Ｓ１８）。そして、ステップＳ１４に遷移する。
【００３８】
ステップＳ１４にて、スペシャルキャラクタと一致したエッジについて（Ｓ１４のＹ）、エッジ遷移状態レジスタ７６の最下位ビットに０を入力し、上位に１ビットシフトする（Ｓ２０）。
【００３９】
次に、安定エッジ判定回路８４は、すべてのエッジ遷移状態レジスタ７６Ａ〜Ｃを参照して、最も遷移の少ない安定したエッジを選択する（Ｓ２２）。具体的には、最も１の値が少ないレジスタのエッジを選択する。
【００４０】
図５は、本実施形態におけるデータ再生回路１００のエッジを選択する動作を説明するフローチャートである。エッジ比較回路８６は、現在選択されているエッジとステップＳ２２にて判定した最も安定したエッジとが一致するか否かを比較する（Ｓ２４）。一致する場合（Ｓ２４のＹ）、エッジ選択回路９０は、現在選択されているエッジを維持し、そのエッジでサンプリングしたデータを後段に出力する（Ｓ２８）。
【００４１】
一致しない場合（Ｓ２４のＮ）、エラーレジスタ判定回路８８は、エラーレジスタ８０の値が０であるか否かを判定する（Ｓ２６）。０の場合（Ｓ２６のＹ）、現在選択されているエッジを維持し、そのエッジでサンプリングしたデータを後段に出力する（Ｓ２８）。１の場合（Ｓ２６のＮ）、エラーレジスタを０にリセットする（Ｓ３０）。それと共に、エッジ選択回路９０は、現在のエッジからステップＳ２２にて判定した最も安定したエッジに変更し、そのエッジでサンプリングしたデータを後段に出力する（Ｓ３２）。
【００４２】
図６は、エッジ遷移状態レジスタの一例を示す。この例では１６ビットのエッジ遷移状態レジスタで説明する。上述したように３倍オーバーサンプリングした場合、エッジＡ遷移状態レジスタ７６Ａ、エッジＢ遷移状態レジスタ７６ＢおよびエッジＣ遷移状態レジスタ７６Ｃが必要となる。あるエッジでサンプリングしたデータ列がスペシャルキャラクタと常に一致する場合、これらのレジスタ７６Ａ〜Ｃの値はすべて０になる。反対に常に一致しない場合、すべて１となる。サンプリングしたデータ列がシフトされて一致する場合、０と１が混在することになる。すなわち、レジスタの値に１が多いほど、ジッターやスキューの影響を受けやすいサンプリングエッジであることが分かる。逆にいえば、レジスタの値に１が多いほど、安定したサンプリングエッジであることが分かる。
【００４３】
また、複数ビットのレジスタを用いると、受信データの遷移状態を統計的に把握することができる。図６では、過去１５回分のスペシャルキャラクタとの照合結果を記録することができ、新たな照合結果が最下位ビットに記録されると、最も古い照合結果が最上位ビットからオーバーフローする。
【００４４】
以上の説明から明らかなように本実施形態によれば、オーディオデータパケットにエラーがない場合、現在選択されているエッジを選択し、エラーが発生した場合、最も安定したエッジに切り替えることにより、音声途切れや雑音を可及的に抑制することができる。すなわち、オーディオデータパケットを正常に受信できている状態では、サンプリングエッジを切り替えないほうが、そのパケットの伝送エラーを引き起こす可能性が低いといえる。逆に伝送エラーが発生している状態では、サンプリングエッジを切り替えたほうが、そのエラーが解消される可能性が高いといえる。本来、最も安定したエッジに即時適応的に切り替えたほうが画像ノイズを低減させる観点からは好ましいが、画像ノイズより音声ノイズのほうが人間にとって感じやすいため、オーディオデータパケットのエラー低減を優先させる。また、サンプリングエッジを切り替える際に統計的手法を利用することにより、サンプリングエッジの切り替え精度を高めることができる。
【００４５】
次に、上記実施形態におけるデータ再生回路を搭載した電子機器について説明する。図７は、データ再生回路を搭載した電子機器の構成を示す図である。電子機器２００は、テレビなどのセット機器が該当し、シリアル伝送により送信されてきたビデオデータおよびオーディオデータを再生する機能を備える。
【００４６】
電子機器２００は、データ再生回路１００、スピーカ１１０および表示部１２０を備える。スピーカ１１０は、オーディオデータ再生回路５０から出力されたデータを音声出力する。表示部１２０は、パネルインタフェース６０から出力されたデータを画像表示する。
【００４７】
この電子機器２００は上記実施形態におけるデータ再生回路１００を搭載しているため、人間の感覚器官の特性を考慮して、ビデオデータおよびオーディオデータを可及的に高品質な態様で受信再生することができる。
【００４８】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４９】
例えば、エッジ選択回路９０が最も安定したエッジを選択する際、エッジＡ遷移状態レジスタ７６Ａ、エッジＢ遷移状態レジスタ７６ＢおよびエッジＣ遷移状態レジスタ７６Ｃのスコアを単純に評価した。この点、最近の照合結果ほど重み付けを上げて、そのサンプリングエッジの遷移状態を総合的に評価してもよい。サンプリングエッジの切り替え精度をさらに高めることができる。
【図面の簡単な説明】
【００５０】
【図１】本発明の実施形態におけるデータ再生回路の構成を示すブロック図である。
【図２】シリアルデータ再生回路の構成を示すブロック図である。
【図３】エッジ選択部の構成を示す図である。
【図４】本実施形態におけるデータ再生回路の安定したエッジを特定するまでの動作を説明するフローチャートである。
【図５】本実施形態におけるデータ再生回路のエッジを選択する動作を説明するフローチャートである。
【図６】エッジ遷移状態レジスタの一例を示す図である。
【図７】データ再生回路を搭載した電子機器の構成を示す図である。
【符号の説明】
【００５１】
１０  シリアルデータ再生回路、  ２０  ＴＭＤＳデコーダ、  ３０  Ａ／Ｖ分離回路、  ４０  エラー検出回路、  ４２  ＢＣＨエラー検出回路、  ４４  ＥＣＣ訂正回路、  ５０  オーディオデータ再生回路、  ６０  パネルインタフェース、  ７０  オーバーサンプル回路、  ７２Ａ  エッジＡレジスタ、  ７３  セレクタ、  ７４Ａ  エッジＡ照合回路、  ７６Ａ  エッジＡ遷移状態レジスタ、  ７８  エッジ選択部、  ８０  エラーレジスタ、  ８２  現在エッジレジスタ、  ８４  安定エッジ判定回路、  ８６  エッジ比較回路、  ８８  エラーレジスタ判定回路、  ９０  エッジ選択回路、  １００  データ再生回路、  １１０  スピーカ、  １２０  表示部、  ２００  電子機器。
【図１】
2007089092.tif 000003
【図２】
2007089092.tif 000004
【図３】
2007089092.tif 000005
【図４】
2007089092.tif 000006
【図５】
2007089092.tif 000007
【図６】
2007089092.tif 000008
【図７】
2007089092.tif 000009